(57)【特許請求の範囲】
【請求項１】
チューナが受信した予め定められた周波数帯域の電界レベルをデータベース化するデータ処理部と、
前記予め定められた周波数帯域のうち、特定の受信局に対して３次歪の相互変調妨害を発生させる第１妨害局及び第２妨害局が存在するか否かを判定する妨害局判定部と、
前記妨害局判定部により前記第１妨害局及び前記第２妨害局が存在すると判定された場合、前記データ処理部によりデータベース化された前記第１妨害局の電界レベル又は前記第２妨害局の電界レベルの少なくとも一方と、前記チューナの内部にある高周波増幅器の出力飽和特性に基づいて設定された３次歪の相互変調妨害が発生しない基準電界レベルとの差分を、ゲイン減衰量として計算するゲイン計算部と、
前記ゲイン計算部により計算された前記ゲイン減衰量を用いて前記高周波増幅器のゲインを制御するゲイン制御部とを備えるラジオ受信制御装置。
【請求項２】
前記ゲイン計算部は、前記ゲイン制御部により前記高周波増幅器のゲインが制御されたと仮定したときの前記受信局の電界レベルが、予め定められた最低電界レベル未満である場合、前記受信局を選局対象から外すことを特徴とする請求項１記載のラジオ受信制御装置。
【請求項３】
前記ゲイン制御部は、前記第１妨害局の電界レベル又は前記第２妨害局の電界レベルの少なくとも一方が前記基準電界レベル未満である場合、前記高周波増幅器のゲインを制御しないことを特徴とする請求項１記載のラジオ受信制御装置。
【請求項４】
前記ゲイン計算部は、前記第１妨害局の電界レベルと前記第２妨害局の電界レベルとが異なる場合、前記第１妨害局の電界レベル及び前記第２妨害局の電界レベルの平均値と前記基準電界レベルとの差分を、前記ゲイン減衰量として計算することを特徴とする請求項１記載のラジオ受信制御装置。
【請求項５】
請求項１記載のラジオ受信制御装置と、
前記高周波増幅器を有する前記チューナとを備えるラジオ受信装置。
【請求項６】
前記チューナは、
前記受信局を受信するために用いられる第１チューナと、
前記データ処理部により前記予め定められた周波数帯域の電界レベルをデータベース化するために用いられる第２チューナとにより構成されることを特徴とする請求項５記載のラジオ受信装置。
【請求項７】
データ処理部が、チューナが受信した予め定められた周波数帯域の電界レベルをデータベース化し、
妨害局判定部が、前記予め定められた周波数帯域のうち、特定の受信局に対して３次歪の相互変調妨害を発生させる第１妨害局及び第２妨害局が存在するか否かを判定し、
ゲイン計算部が、前記妨害局判定部により前記第１妨害局及び前記第２妨害局が存在すると判定された場合、前記データ処理部によりデータベース化された前記第１妨害局の電界レベル又は前記第２妨害局の電界レベルの少なくとも一方と、前記チューナの内部にある高周波増幅器の出力飽和特性に基づいて設定された３次歪の相互変調妨害が発生しない基準電界レベルとの差分を、ゲイン減衰量として計算し、
ゲイン制御部が、前記ゲイン計算部により計算された前記ゲイン減衰量を用いて前記高周波増幅器のゲインを制御するラジオ受信制御方法。
【発明の詳細な説明】
【技術分野】
【０００１】
この発明は、ＦＭラジオ放送波を受信するラジオ受信制御装置、ラジオ受信装置、及びラジオ受信制御方法に関するものである。
【背景技術】
【０００２】
従来のラジオ受信装置は、相互変調妨害を検出した場合、オーディオ品質を向上するために、チューナ内部にある高周波増幅器の自動ゲイン制御を調整していた（例えば、特許文献１参照）。
【先行技術文献】
【特許文献】
【０００３】
【特許文献１】特表２０１４−５０６７４６号公報
【発明の概要】
【発明が解決しようとする課題】
【０００４】
従来のラジオ受信装置は、高周波増幅器の出力飽和特性を考慮しておらず、相互変調妨害を検出した際の自動ゲイン制御の調整が不適切になることがあるという課題があった。高周波増幅器のゲイン減衰量が小さい場合、入力信号に相互変調成分が残りすぎ、高周波増幅器のゲイン減衰量が大きい場合、聴取中の受信局の入力レベルが小さくなるため、どちらの場合も十分にオーディオ品質を向上することができなかった。【０００５】
この発明は、上記のような課題を解決するためになされたもので、高周波増幅器の出力飽和特性を考慮したゲイン制御を行うことを目的とする。
【課題を解決するための手段】
【０００６】
この発明に係るラジオ受信制御装置は、チューナが受信した予め定められた周波数帯域の電界レベルをデータベース化するデータ処理部と、予め定められた周波数帯域のうち、特定の受信局に対して３次歪の相互変調妨害を発生させる第１妨害局及び第２妨害局が存在するか否かを判定する妨害局判定部と、妨害局判定部により第１妨害局及び第２妨害局が存在すると判定された場合、データ処理部によりデータベース化された第１妨害局の電界レベル又は第２妨害局の電界レベルの少なくとも一方と、チューナの内部にある高周波増幅器の出力飽和特性に基づいて設定された３次歪の相互変調妨害が発生しない基準電界レベルとの差分を、ゲイン減衰量として計算するゲイン計算部と、ゲイン計算部により計算されたゲイン減衰量を用いて高周波増幅器のゲインを制御するゲイン制御部とを備えるものである。
【発明の効果】
【０００７】
この発明によれば、高周波増幅器の出力飽和特性を考慮したゲイン制御を行うようにしたので、オーディオ品質を向上することができる。
【図面の簡単な説明】
【０００８】
【図１】実施の形態１に係るラジオ受信装置のハードウェア構成図である。
【図２】実施の形態１に係るラジオ受信装置の機能ブロック図である。
【図３】高周波増幅器の出力飽和特性を示すグラフである。
【図４】実施の形態１に係るラジオ受信制御装置の動作例を示すフローチャートである。
【図５】実施の形態２に係るラジオ受信制御装置の動作例を示すフローチャートである。
【発明を実施するための形態】
【０００９】
以下、この発明をより詳細に説明するために、この発明を実施するための形態について、添付の図面に従って説明する。
実施の形態１．
図１は、実施の形態１に係るラジオ受信装置１のハードウェア構成図である。図２は、実施の形態１に係るラジオ受信装置１の機能ブロック図である。ラジオ受信装置１には、ＦＭラジオ放送波を受信するアンテナ２と、ＦＭラジオ放送波から生成されたオーディオ信号を増幅する低周波増幅器３とが接続されている。スピーカ４は、低周波増幅器３により増幅されたオーディオ信号を音声出力する。
【００１０】
ラジオ受信装置１は、第１チューナ１０、第２チューナ２０、ＤＳＰ（Ｄｉｇｉｔａｌ  Ｓｉｇｎａｌ  Ｐｒｏｃｅｓｓｏｒ）３０、及びＣＰＵ（Ｃｅｎｔｒａｌ  Ｐｒｏｃｅｓｓｉｎｇ  Ｕｎｉｔ）４０を備える。ＤＳＰ３０及びＣＰＵ４０は、ラジオ受信制御装置５を構成する。
【００１１】
第１チューナ１０は、第１ＢＰＦ（Ｂａｎｄ  Ｐａｓｓ  Ｆｉｌｔｅｒ）１１、第１高周波増幅器１２、第１検波部１３、及び第１ＡＤ（Ａｎａｌｏｇ  Ｄｉｇｉｔａｌ）変換部１４を備える。第２チューナ２０は、第２ＢＰＦ２１、第２高周波増幅器２２、第２検波部２３、及び第２ＡＤ変換部２４を備える。ＤＳＰ３０は、ＦＭ復調部３１、ステレオ復調部３２、ＤＡ（Ｄｉｇｉｔａｌ  Ａｎａｌｏｇ）変換部３３、及びデータ処理部３４を備える。ＣＰＵ４０は、記憶部４１、妨害局判定部４２、ゲイン計算部４３、ゲイン制御部４４、及び周波数制御部４５を備える。
【００１２】
ＤＳＰ３０におけるＦＭ復調部３１、ステレオ復調部３２、ＤＡ変換部３３、及びデータ処理部３４の機能は、ソフトウェア、ファームウェア、又はソフトウェアとファームウェアとの組み合わせにより実現される。ソフトウェア又はファームウェアはプログラムとして記述され、メモリ（不図示）に格納される。ＤＳＰ３０は、メモリ（不図示）に格納されたプログラムを読みだして実行することにより、各部の機能を実現する。
【００１３】
ＣＰＵ４０における妨害局判定部４２、ゲイン計算部４３、ゲイン制御部４４、及び周波数制御部４５の機能は、ソフトウェア、ファームウェア、又はソフトウェアとファームウェアとの組み合わせにより実現される。ソフトウェア又はファームウェアはプログラムとして記述され、メモリ（不図示）に格納される。ＣＰＵ４０は、メモリ（不図示）に格納されたプログラムを読みだして実行することにより、各部の機能を実現する。
【００１４】
このように、ラジオ受信制御装置５は、ＤＳＰ３０とＣＰＵ４０とにより実行されるときに、後述する図４のフローチャートで示されるステップが結果的に実行されることになるプログラムを格納するためのメモリ（不図示）を備える。また、このプログラムは、ＦＭ復調部３１、ステレオ復調部３２、ＤＡ変換部３３、データ処理部３４、妨害局判定部４２、ゲイン計算部４３、ゲイン制御部４４、及び周波数制御部４５の手順又は方法をコンピュータに実行させるものであるとも言える。
【００１５】
次に、図２を参照し、ラジオ受信装置１の詳細を説明する。
第１チューナ１０は、聴取者が聴取を希望する特定の受信局（以下、「受信局」と称する）を受信するチューナである。第１ＢＰＦ１１は、アンテナ２から出力される高周波信号のうち、ＦＭラジオ放送の全周波数帯域（例えば、７６．０ＭＨｚ〜１０９．０ＭＨｚ）を通過させる。第１高周波増幅器１２は、第１ＢＰＦ１１を通過した高周波信号を、ゲイン制御部４４により制御されたゲインで増幅する。第１検波部１３は、周波数制御部４５から指示される受信局の周波数に基づき、第１高周波増幅器１２で増幅された高周波信号を検波して受信局の信号を出力する。第１ＡＤ変換部１４は、受信局の信号をデジタル信号に変換してＦＭ復調部３１へ出力する。
【００１６】
ＦＭ復調部３１は、第１ＡＤ変換部１４から出力される受信局のデジタル信号に対する復調処理を行い、ステレオ複合信号を出力する。ステレオ復調部３２は、ＦＭ復調部３１から出力されるステレオ複合信号を用いた復調処理を行い、右チャンネルのオーディオ信号と左チャンネルのオーディオ信号とを出力する。ＤＡ変換部３３は、右チャンネルのオーディオ信号と左チャンネルのオーディオ信号とをアナログ信号に変換して低周波増幅器３へ出力する。
【００１７】
第２チューナ２０は、ＦＭラジオ放送の全周波数帯域の電波状況を把握してデータベース化するためのサーチを繰り返すチューナである。第２ＢＰＦ２１は、アンテナ２から出力される高周波信号のうち、ＦＭラジオ放送の全周波数帯域を通過させる。第２高周波増幅器２２は、第２ＢＰＦ２１を通過した高周波信号を、ゲイン制御部４４により制御されたゲインで増幅する。第２検波部２３は、周波数制御部４５から指示されるサーチ対象の周波数に基づき、第２高周波増幅器２２で増幅された高周波信号を検波してサーチ対象の周波数の信号を出力する。第２ＡＤ変換部２４は、サーチ対象の周波数の信号をデジタル信号に変換してデータ処理部３４へ出力する。
【００１８】
データ処理部３４は、第２ＡＤ変換部２４から出力されるサーチ対象の周波数の信号の電界レベルを記憶部４１に記憶させる。データ処理部３４は、全周波数帯域の電界レベルを記憶部４１に記憶させることによりデータベースを生成する。
【００１９】
記憶部４１は、データ処理部３４により生成される、ＦＭラジオ放送の全周波数帯域における各周波数の電界レベルを表すデータベースを記憶する。また、記憶部４１には、第１高周波増幅器１２の出力飽和特性に基づいて設定された、３次歪の相互変調妨害が発生しない基準電界レベルの情報と、オーディオ品質を確保できる最低電界レベルの情報とが予め記憶されている。
【００２０】
図３は、第１高周波増幅器１２の出力飽和特性を示すグラフである。横軸のＰｉｎは、アンテナ２から第１高周波増幅器１２へ入力される高周波信号の電界レベル（以下、「入力レベル」と称する）であり、縦軸のＰｏｕｔは、第１高周波増幅器１２が出力する高周波信号の電界レベル（以下、「出力レベル」と称する）である。受信局の入力レベルに対する出力レベル５０は、Ｐ１ｄＢまで直線的に増加し、それ以上では飽和する。
【００２１】
３次歪の相互変調成分の出力レベル５１は、受信局の出力レベル５０の３倍に比例して増加する。この比例関係は、対数表記の場合であり、真数では３乗となる。例えば、受信局の出力レベル５０が１０倍になると、それに伴って発生する３次歪の相互変調成分の出力レベル５１は１０００倍に増加する。３次歪の相互変調成分の出力レベル５１を低く抑えるには、ＩＰ３（Ｔｈｉｒｄ  Ｏｒｄｅｒ  Ｉｎｔｅｒｃｅｐｔ  Ｐｏｉｎｔ）の高い第１高周波増幅器１２を使用するか、第１高周波増幅器１２のゲインを制御することにより受信局の出力レベル５０を低く抑えるかのいずれかしかない。実施の形態１では、第１高周波増幅器１２のゲインを制御する。図３の出力飽和特性におけるＩＰ０ｄＢ−ｉｎは、３次歪の相互変調妨害が発生しない「基準電界レベル」として、記憶部４１に予め記憶されている。
【００２２】
周波数制御部４５は、記憶部４１を参照し、聴取者が聴取を希望する受信局の電界レベルがオーディオ品質を確保できる最低電界レベル以上である場合、この受信局の周波数を第１検波部１３に指示する。一方、周波数制御部４５は、受信局の電界レベルが最低電界レベル未満である場合、この受信局の周波数にはＦＭラジオ放送波が存在しない、又はオーディオ品質を確保できないと判定する。そして、周波数制御部４５は、この受信局を選局対象から外し、第１検波部１３への周波数の指示を行わない。
【００２３】
周波数制御部４５は、受信局の選局と並行して、全周波数帯域の電波状況を把握するためのサーチを繰り返し行う。周波数制御部４５は、全周波数帯域の各周波数を１つずつ第２検波部２３に指示する。周波数制御部４５の指示に従って第２検波部２３がサーチ対象の周波数を変更する度に、サーチ対象の周波数の信号が、第２検波部２３及び第２ＡＤ変換部２４を経由してデータ処理部３４へ出力される。ＦＭラジオ放送の電波状況は随時変動するので、データ処理部３４は、第２チューナ２０によりサーチ対象の周波数が受信される都度、記憶部４１に記憶されているサーチ対象の周波数の電界レベルを更新する。
【００２４】
妨害局判定部４２は、記憶部４１を参照し、第１チューナ１０が受信中の受信局に対して３次歪の相互変調妨害を発生させる第１妨害局及び第２妨害局が存在するか否かを判定し、判定結果をゲイン計算部４３へ出力する。ゲイン計算部４３は、妨害局判定部４２により第１妨害局及び第２妨害局が存在すると判定された場合、第１妨害局及び第２妨害局の電界レベルが基準電界レベル（図３のＩＰ０ｄＢ−ｉｎ）まで下がるように、第１高周波増幅器１２のゲイン減衰量を計算する。ゲイン計算部４３は、計算した基準電界レベルとの差分を、ゲイン減衰量としてゲイン制御部４４へ出力する。ゲイン制御部４４は、ゲイン計算部４３により計算されたゲイン減衰量を用いて、第１高周波増幅器１２のゲインを制御する。一方、ゲイン制御部４４は、第２高周波増幅器２２に対しては、ゲイン減衰量を用いた制御を行わず、予め定められたゲインを指示する。
【００２５】
図４は、実施の形態１に係るラジオ受信制御装置５の動作例を示すフローチャートである。ラジオ受信制御装置５は、ラジオ受信装置１の電源がオンされると図４のフローチャートに示される動作を開始し、ラジオ受信装置１の電源がオフされるとこの動作を終了する。
【００２６】
ステップＳＴ１１において、データ処理部３４は、第２チューナ２０から出力されるサーチ対象の周波数の信号を用い、ＦＭラジオ放送の全周波数帯域における各周波数の電界レベルをデータベース化して記憶部４１に記憶させる。
【００２７】
ステップＳＴ１２において、妨害局判定部４２は、記憶部４１を参照し、第１チューナ１０が受信中の受信局に対して３次歪の相互変調妨害を発生させる第１妨害局及び第２妨害局が存在するか否かを判定する。第１妨害局及び第２妨害局が存在する場合（ステップＳＴ１２“ＹＥＳ”）、処理はステップＳＴ１３へ進み、存在しない場合（ステップＳＴ１２“ＮＯ”）、処理はステップＳＴ１１へ戻る。
【００２８】
妨害局判定部４２は、下記の式（１）又は式（２）のいずれかが成立するような、受信局の周波数ｆ０に対する第１妨害局の周波数ｆ１と第２妨害局の周波数ｆ２とを求める。
ｆ０＝２×ｆ１−ｆ２      （１）
ｆ０＝２×ｆ２−ｆ１      （２）
【００２９】
例えば、受信局の周波数ｆ０が「９６．０ＭＨｚ」であるものとする。この場合、妨害局判定部４２は、式（１）が成立する第１妨害局の周波数ｆ１として「９８．１ＭＨｚ」、第２妨害局の周波数ｆ２として「１００．２ＭＨｚ」を求める。
【００３０】
ステップＳＴ１３において、ゲイン計算部４３は、記憶部４１に記憶されている第１妨害局の電界レベル又は第２妨害局の電界レベルの少なくとも一方と基準電界レベルとの差分を、ゲイン減衰量として計算する。
【００３１】
例えば、第１妨害局の電界レベルが「１００ｄＢμＶ」、第２妨害局の電界レベルが「１００ｄＢμＶ」、基準電界レベルが「６０ｄＢμＶ」であるものとする。この場合、ゲイン計算部４３は、ゲイン減衰量として「４０ｄＢμＶ」（＝１００ｄＢμＶ−６０ｄＢμＶ）を計算する。
【００３２】
なお、第１妨害局の電界レベルと第２妨害局の電界レベルとが異なる場合、ゲイン計算部４３は、第１妨害局の電界レベル又は第２妨害局の電界レベルの少なくとも一方を用いてゲイン減衰量を計算すればよい。
例えば、第１妨害局の電界レベルが「９０ｄＢμＶ」、第２妨害局の電界レベルが「７０ｄＢμＶ」、基準電界レベルが「６０ｄＢμＢ」であるものとする。この場合、ゲイン計算部４３は、大きいほうの電界レベル「９０ｄＢμＶ」と基準電界レベル「６０ｄＢμＶ」との差分「３０ｄＢμＶ」をゲイン減衰量とする。または、ゲイン計算部４３は、第１妨害局の電界レベル及び第２妨害局の電界レベルの平均値「８０ｄＢμＶ」（＝（９０ｄＢμＶ＋７０ｄＢμＶ）／２）と、基準電界レベル「６０ｄＢμＶ」との差分「２０ｄＢμＶ」をゲイン減衰量としてもよい。
【００３３】
ステップＳＴ１４において、ゲイン制御部４４は、ゲイン計算部４３により計算されたゲイン減衰量だけ、第１高周波増幅器１２のゲインを減衰させる。これにより、受信局に対する３次歪の相互変調妨害が抑制され、受信局のオーディオ品質が向上する。
【００３４】
第２チューナ２０は、周波数制御部４５の指示に従い、全周波数帯域の電波状況を把握するためのサーチを繰り返している。そのため、データ処理部３４は、次回のステップＳＴ１１において、記憶部４１にデータベース化されたＦＭラジオ放送の全周波数帯域における各周波数の電界レベルを更新する。続くステップＳＴ１２〜ＳＴ１４では、更新された電界レベルを用いた処理が行われる。
【００３５】
以上のように、実施の形態１に係るラジオ受信制御装置５は、データ処理部３４と、妨害局判定部４２と、ゲイン計算部４３と、ゲイン制御部４４とを備える。データ処理部３４は、第２チューナ２０が受信したＦＭラジオ放送の全周波数帯域の電界レベルをデータベース化する。妨害局判定部４２は、ＦＭラジオ放送の全周波数帯域のうち、第１チューナ１０が受信中の受信局に対して３次歪の相互変調妨害を発生させる第１妨害局及び第２妨害局が存在するか否かを判定する。ゲイン計算部４３は、妨害局判定部４２により第１妨害局及び第２妨害局が存在すると判定された場合、データ処理部３４によりデータベース化された第１妨害局の電界レベル又は第２妨害局の電界レベルの少なくとも一方と、第１チューナ１０の内部にある第１高周波増幅器１２の出力飽和特性に基づいて設定された３次歪の相互妨害局が発生しない基準電界レベルとの差分を、ゲイン減衰量として計算する。ゲイン制御部４４は、ゲイン計算部４３により計算されたゲイン減衰量を用いて第１高周波増幅器１２のゲインを制御する。このように、ラジオ受信制御装置５は、第１高周波増幅器１２の出力飽和特性を考慮したゲイン制御を行うことにより、聴取者が聴取している受信局に対する３次歪の相互変調妨害を抑制することができ、受信局のオーディオ品質を向上することができる。
【００３６】
また、実施の形態１のゲイン計算部４３は、第１妨害局の電界レベルと第２妨害局の電界レベルとが異なる場合、第１妨害局の電界レベル及び第２妨害局の電界レベルの平均値と基準電界レベルとの差分を、ゲイン減衰量として計算する。この構成により、ラジオ受信制御装置５は、第１妨害局の電界レベルと第２妨害局の電界レベルとが異なる場合でも、第１高周波増幅器１２の出力飽和特性を考慮したゲイン制御を行って受信局のオーディオ品質を向上することができる。
【００３７】
また、実施の形態１に係るラジオ受信装置１は、上記ラジオ受信制御装置５と、受信局を受信するために用いられる第１チューナ１０と、データ処理部３４により全周波数帯域の電界レベルをデータベース化するために用いられる第２チューナ２０とを備える。この構成により、ラジオ受信制御装置５は、随時変動する電界レベルを第２チューナ２０を用いて更新することができるので、第１チューナ１０が有する第１高周波増幅器１２のゲインを随時最適に制御することができる。したがって、ラジオ受信装置１は、特に車両等の移動体に搭載される、又は移動体に持ち込まれるラジオ受信装置１に適している。
【００３８】
なお、実施の形態１に係るラジオ受信装置１は、第１チューナ１０と第２チューナ２０とを備える構成であったが、１つのチューナを備える構成であってもよい。この場合、ラジオ受信装置１は、１つのチューナを、聴取者が受信局の聴取を希望している場合に第１チューナ１０として使用し、それ以外の期間に第２チューナ２０として使用する等すればよい。
または、ラジオ受信装置１は、聴取者が聴取を希望している受信局を１つのチューナが受信している期間中、音声出力がされていない瞬間を検知し、検知した瞬間にこの１つのチューナを第１妨害局の周波数及び第２妨害局の周波数に切り替えて各電界レベルを取得し、記憶部４１のデータベースを更新してもよい。
【００３９】
実施の形態２．
実施の形態２に係るラジオ受信装置１の構成は、実施の形態１の図１及び図２に示された構成と図面上は同一であるため、以下では図１及び図２を援用する。
【００４０】
図５は、実施の形態２に係るラジオ受信制御装置５の動作例を示すフローチャートである。ラジオ受信制御装置５は、ラジオ受信装置１の電源がオンされると図５のフローチャートに示される動作を開始し、ラジオ受信装置１の電源がオフされるとこの動作を終了する。図５のステップＳＴ１１〜ＳＴ１４における動作は、図４のステップＳＴ１１〜ＳＴ１４の動作と同じである。
【００４１】
受信局に対する３次歪の相互変調妨害は、２つの大きな電界レベルの妨害局が存在した場合に発生する。そこで、ステップＳＴ２１において、妨害局判定部４２は、第１妨害局の電界レベル及び第２妨害局の電界レベルが基準電界レベル以上であるか否かを判定する。第１妨害局の電界レベル及び第２妨害局の電界レベルが基準電界レベル以上である場合（ステップＳＴ２１“ＹＥＳ”）、処理はステップＳＴ１３へ進む。一方、第１妨害局の電界レベル又は第２妨害局の電界レベルの少なくとも一方が基準電界レベル未満である場合（ステップＳＴ２１“ＮＯ”）、処理はステップＳＴ１１へ戻る。したがって、ゲイン制御部４４は、第１妨害局の電界レベル又は第２妨害局の電界レベルの少なくとも一方が基準電界レベル未満である場合、第１高周波増幅器１２のゲインを制御しない。
【００４２】
ステップＳＴ２２において、ゲイン計算部４３は、受信局の電界レベルを記憶部４１から読み出す。ステップＳＴ２３において、ゲイン計算部４３は、ステップＳＴ１３で計算したゲイン減衰量が第１高周波増幅器１２に適用された場合の受信局の電界レベル（以下、「ゲイン制御後の受信局の電界レベル」と称する）として、記憶部４１から読み出した受信局の電界レベルとゲイン減衰量との差分を計算する。
【００４３】
ステップＳＴ２４において、ゲイン計算部４３は、ゲイン制御後の受信局の電界レベルが、オーディオ品質を確保できる最低電界レベル以上であるか否かを判定する。最低電界レベルは、記憶部４１に予め記憶されているものとする。ゲイン制御後の受信局の電界レベルが最低電界レベル以上である場合（ステップＳＴ２４“ＹＥＳ”）、ゲイン計算部４３は、ステップＳＴ１３で計算したゲイン減衰量をゲイン制御部４４へ出力する。続くステップＳＴ１４において、ゲイン制御部４４は、ゲイン計算部４３からのゲイン減衰量を用いて、第１高周波増幅器１２のゲインを制御する。一方、ゲイン制御後の受信局の電界レベルが最低電界レベル未満である場合（ステップＳＴ２４“ＮＯ”）、処理はステップＳＴ２５へ進む。したがって、ゲイン制御部４４は、ゲイン制御後の受信局の電界レベルが最低電界レベル未満である場合、第１高周波増幅器１２のゲインを制御しない。
【００４４】
ステップＳＴ２５において、ゲイン計算部４３は、受信局を選局対象から外す。具体的には、ゲイン計算部４３は、受信局が選局対象外であることを示す情報を、記憶部４１に記憶させる。周波数制御部４５は、第１チューナ１０の第１検波部１３に対して受信局の周波数を指示する際、この受信局が選局対象外であることを示す情報が記憶部４１に記憶されているか否かを確認する。周波数制御部４５は、受信局が選局対象外である場合、第１検波部１３への周波数の指示を行わない。
【００４５】
例えば、受信局の電界レベルが「７０ｄＢμＶ」、ゲイン減衰量が「４０ｄＢμＶ」、最低電界レベルが「２０ｄＢμＶ」であるものとする。この場合、ゲイン計算部４３は、ゲイン制御部４４により第１高周波増幅器１２のゲインが「４０ｄＢμＶ」減衰させられたと仮定して、ゲイン制御後の受信局の電界レベル「３０ｄＢμＶ」（＝７０ｄＢμＶ−４０ｄＢμＶ）を計算する。ゲイン制御後の受信局の電界レベル「３０ｄＢμＶ」は、最低電界レベル「２０ｄＢμＶ」以上であるため、ゲイン制御部４４は、第１高周波増幅器１２のゲインを「４０ｄＢμＶ」減衰させる。
なお、ゲイン計算部４３は、以前にこの受信局を選局対象から外した場合、この受信局を選局対象に戻す。具体的には、ゲイン計算部４３は、受信局が選局対象外であることを示す情報を、記憶部４１から削除する。
【００４６】
また、例えば、受信局の電界レベルが「５０ｄＢμＶ」、ゲイン減衰量が「４０ｄＢμＶ」、最低電界レベルが「２０ｄＢμＶ」であるものとする。この場合、ゲイン計算部４３は、ゲイン制御部４４により第１高周波増幅器１２のゲインが「４０ｄＢμＶ」減衰させられたと仮定して、ゲイン制御後の受信局の電界レベル「１０ｄＢμＶ」（＝５０ｄＢμＶ−４０ｄＢμＶ）を計算する。ゲイン制御後の受信局の電界レベル「１０ｄＢμＶ」は、最低電界レベル「２０ｄＢμＶ」未満であるため、ゲイン計算部４３は、受信局を周波数制御部４５の選局対象から外す。
【００４７】
以上のように、実施の形態２のゲイン計算部４３は、ゲイン制御部４４により第１高周波増幅器１２のゲインが制御されたと仮定したときの受信局の電界レベルが、予め定められた最低電界レベル未満である場合、この受信局を選局対象から外す。この構成により、ラジオ受信制御装置５は、第１高周波増幅器１２の出力飽和特性を考慮したゲイン制御を行っても受信局のオーディオ品質を確保できない場合に、この受信局を選局対象から外し、聴取者が聴取できないようにすることができる。
【００４８】
また、実施の形態２のゲイン制御部４４は、第１妨害局の電界レベル又は第２妨害局の電界レベルの少なくとも一方が基準電界レベル未満である場合、第１高周波増幅器１２のゲインを制御しない。ラジオ受信制御装置５は、受信局に対する３次歪の相互変調妨害が発生しない場合に第１高周波増幅器１２のゲインを変化させないので、聴取中の受信局についてオーディオ品質の変化を防止することができる。
【００４９】
なお、本発明はその発明の範囲内において、各実施の形態の自由な組み合わせ、各実施の形態の任意の構成要素の変形、又は各実施の形態の任意の構成要素の省略が可能である。
【産業上の利用可能性】
【００５０】
この発明に係るラジオ受信装置は、電波状況と高周波増幅器の出力飽和特性とを考慮してオーディオ品質を向上するようにしたので、特に移動体用のラジオ受信装置に適している。
【符号の説明】
【００５１】
１  ラジオ受信装置、２  アンテナ、３  低周波増幅器、４  スピーカ、５  ラジオ受信制御装置、１０  第１チューナ、１１  第１ＢＰＦ、１２  第１高周波増幅器、１３  第１検波部、１４  第１ＡＤ変換部、２０  第２チューナ、２１  第２ＢＰＦ、２２  第２高周波増幅器、２３  第２検波部、２４  第２ＡＤ変換部、３０  ＤＳＰ、３１  ＦＭ復調部、３２  ステレオ復調部、３３  ＤＡ変換部、３４  データ処理部、４０  ＣＰＵ、４１  記憶部、４２  妨害局判定部、４３  ゲイン計算部、４４  ゲイン制御部、４５  周波数制御部、５０  受信局の出力レベル、５１  ３次歪の相互変調成分の出力レベル。
【図１】
0006880346.tif 000002
【図２】
0006880346.tif 000003
【図３】
0006880346.tif 000004
【図４】
0006880346.tif 000005
【図５】
0006880346.tif 000006